(57)【要約】【課題】  電子メールシステムの誤操作を低減し、使い勝手を向上させる。【解決手段】  通信装置１０は、電子メールの受信者のアドレスの設定を受け付けるアドレス受付部２１と、アドレス毎に、その受信者に対する当該電子メールの宛先種別の設定を受け付ける宛先種別受付部２３と、宛先種別をアドレス毎に対応付けたリストを表示する表示部１９と、リストを、宛先種別毎に並び替えるソート部２７と、電子メールを送信する送受信部１５と、を備える。【選択図】  図１
2005267469.tif 000002
【特許請求の範囲】
【請求項１】
電子メールの受信者のアドレスの設定を受け付けるアドレス受付手段と、
前記アドレス毎に、その受信者に対する当該電子メールの宛先種別の設定を受け付ける宛先種別受付手段と、
前記宛先種別を前記アドレス毎に対応付けたリストを表示する表示手段と、
前記リストを、前記宛先種別毎に並び替える並べ替え手段と、
前記電子メールを送信する送信手段と、
を備えたことを特徴とする電子メールシステム。
【請求項２】
請求項１に記載の電子メールシステムにおいて、
前記アドレス毎に、前記宛先種別の設定の変更を受け付ける変更受付手段をさらに備えたことを特徴とする電子メールシステム。
【請求項３】
請求項２に記載の電子メールシステムにおいて、
前記並べ替え手段は、前記変更受付手段が前記宛先種別の設定の変更を受け付けたときに、新たに設定された前記宛先種別で前記リストを並べ替えることを特徴とする電子メールシステム。
【請求項４】
請求項１または２に記載の電子メールシステムにおいて、
前記リストの並べ替えの指示を受け付ける指示受付手段を備え、
前記並べ替え手段は、前記指示受付手段が指示を受け付けたときに、前記リストを並べ替えることを特徴とする電子メールシステム。
【請求項５】
請求項１乃至４いずれかに記載の電子メールシステムにおいて、
前記宛先種別のソート順を記憶するソート順記憶手段と、
前記宛先種別の前記ソート順の変更を受け付けるソート順変更受付手段と、
前記ソート順の変更を受け付けたとき、前記ソート順記憶手段の前記ソート順を変更するソート順変更手段と、
を備えたことを特徴とする電子メールシステム。
【発明の詳細な説明】
【技術分野】
【０００１】
本発明は、電子メールシステムに関し、特に、一通の電子メールを複数の受信者に送信する際の電子メールシステムにおける表示技術に関する。
【背景技術】
【０００２】
近年、電子メールは様々な場面で情報を伝達するツールとして盛んに使用されるようになってきた。電子メールは、インターネット上で交換されるインターネットメール（以下、「Ｅメール」と呼ぶ。）の他に、パソコン通信や企業内ネットワークの電子メール、および携帯電話や加入電話の電子メールなどがある。たとえば、Ｅメールは、パーソナルコンピュータにインストールされたメーラーと呼ばれる電子メールソフトを用いて、ユーザにより作成され、送受信される。
【０００３】
特許文献１には、メール文書の送信を支援する電子メールシステムが開示されている。この電子メールシステムでは、送付先のメールアドレスを複数個指定したときに、予め設定した順位により、メール文書に書き込む複数個の宛先情報を並び替えている。
【特許文献１】特開２００１−１４２３２号公報
【発明の開示】
【発明が解決しようとする課題】
【０００４】
ところで、通常、電子メールの送信宛先には、その電子メールの受取手に対する種類を受信者に通知するための付加情報として、Ｔｏ（主宛先）、Ｃｃ（同報）、およびＢｃｃ（非通知同報）といった宛先種別を追加することができ、その宛先種別はメールアドレス毎に指定される。従来の電子メールシステムでは、宛先種別毎にメールアドレスを宛先として指定する方式が主流であった。この場合、たとえば、Ｔｏの欄に指定したメールアドレスをＢｃｃに変更するためには、該当するメールアドレスをＴｏの欄から一旦削除し、再度Ｂｃｃの欄に指定し直す必要があり、操作に手間がかかるといった問題点があった。
【０００５】
また、従来の電子メールシステムにおいて、送信宛先のメールアドレス毎に宛先種別を設定可能なものもある。この場合、送信宛先のメールアドレスを指定した後、メールアドレス毎に宛先種別を変更できるものもある。また、送信宛先を指定する画面が比較的小さく、一画面上には数件の宛先しか表示できないような電子メールシステムでは、送信宛先の件数が多い場合、宛先リストを表示する画面上に全ての宛先が表示できなくなるため、宛先が複数ページにわたって表示されることがある。この場合、宛先種別がメールアドレス毎に変更可能であると、宛先種別がＴｏである送信宛先がリストの何処にあるのか分からなかったり、また表示されていない他のページで宛先種別を誤って指定してしまっていても気が付かなかったりするといった問題点が生じる可能性があった。
【０００６】
本発明は、上記背景の下でなされたものであり、その目的は、誤操作を低減し、使い勝手のよい電子メールシステムおよびその電子メールシステムを備えた通信装置を提供することにある。
【課題を解決するための手段】
【０００７】
本発明の電子メールシステムは、電子メールの受信者のアドレスの設定を受け付けるアドレス受付手段と、前記アドレス毎に、その受信者に対する当該電子メールの宛先種別の設定を受け付ける宛先種別受付手段と、前記宛先種別を前記アドレス毎に対応付けたリストを表示する表示手段と、前記リストを、前記宛先種別毎に並び替える並べ替え手段と、前記電子メールを送信する送信手段と、を備える。
【０００８】
ここで、電子メールは、インターネット上で交換されるＥメールの他に、パソコン通信や企業内ネットワークの電子メール、および携帯電話や加入電話の電子メールなどや、インターネットファクシミリを含む。また、アドレスは、メールアドレスおよびＩＰファクシミリ番号を含むアドレス情報、あるいはこれらのアドレス情報の宛先名称などである。また、宛先種別とは、受信者に電子メールの重要度等を通知するための付加情報であり、たとえば、主宛先（Ｔｏ）、同報宛先（Ｃｃ：Carbon Copy）、および非通知同報宛先（Ｂｃｃ：Blind Carbon Copy）である。また、この場合、重要度は、Ｔｏ、Ｃｃ、およびＢｃｃの順が一般的である。
【０００９】
あるいは、宛先種別は、宛先をなんらかの基準で区分する識別子、数字やアルファベット、その他の符号や記号、名称、階級などでもよい。たとえば、社内メールなどで機密度を示す符号などを宛先種別として用いることもできる。また、電子メールシステムは、電子メールソフトを含む。
【００１０】
本発明によれば、電子メールのアドレス毎に宛先種別を指定した後、宛先種別毎にアドレスのリストを並び替えて表示するので、宛先種別単位で送信宛先を確認することができ、使い勝手がよく、ユーザの操作ミスを低減できる高信頼な電子メールシステムが提供される。
【００１１】
上記電子メールシステムにおいて、前記アドレス毎に、前記宛先種別の設定の変更を受け付ける変更受付手段をさらに備えることができる。
【００１２】
たとえば、変更受付手段は、たとえば宛先種別が表示された操作ボタンであり、ユーザが操作ボタンを押下する度に、操作ボタンに表示される宛先種別が、順次Ｔｏ、Ｃｃ、およびＢｃｃの順で切り替わり、選択される。変更受付手段は、操作ボタンの他に、プルダウンメニューやラジオスイッチでもよい。
【００１３】
この構成によれば、ユーザは簡単な操作で、アドレス毎に宛先種別を変更することができ、電子メールシステムの操作性が向上する。
【００１４】
上記電子メールシステムにおいて、前記並べ替え手段は、前記変更受付手段が前記宛先種別の設定の変更を受け付けたときに、新たに設定された前記宛先種別で前記リストを並べ替えることができる。
【００１５】
この構成によれば、宛先種別を変更する度に、リストの並べ替えが行われるので、その都度、変更内容を確認することができ、望ましくない宛先種別に誤って変更されることなどを防ぐことができ、操作ミスを低減できる。
【００１６】
上記電子メールシステムにおいて、前記リストの並べ替えの指示を受け付ける指示受付手段を備え、前記並べ替え手段は、前記指示受付手段が指示を受け付けたときに、前記リストを並べ替えることができる。
【００１７】
この構成によれば、アドレス毎に宛先種別を設定および変更した後で、リストの並べ替えを行うことができるので、送信前などに宛先種別の設定または変更内容を確認でき、操作ミスなどを低減でき、信頼性が向上する。
【００１８】
上記電子メールシステムにおいて、前記宛先種別のソート順を記憶するソート順記憶手段と、前記宛先種別の前記ソート順の変更を受け付けるソート順変更受付手段と、前記ソート順の変更を受け付けたとき、前記ソート順記憶手段の前記ソート順を変更するソート順変更手段と、を備えることができる。
【００１９】
この構成によれば、宛先種別のソート順を変更することができるので、特に確認したい宛先種別のソート順を上位に変更して並べ替えることなどができ、利便性が増す。
【００２０】
なお、以上の構成要素の任意の組合せ、本発明の表現を方法、装置、システム、記録媒体、コンピュータプログラムなどの間で変換したものもまた、本発明の態様として有効である。
【発明の効果】
【００２１】
上述のように、本発明によれば、誤操作を低減でき、使い勝手のよい電子メールシステムが提供される。
【発明を実施するための最良の形態】
【００２２】
以下、本発明の実施の形態を図面を参照して説明する。
【００２３】
図１は、本実施の形態の電子メールシステムを含む通信装置の機能ブロック図である。通信装置１０は、インターネットなどのネットワーク１を介して他の通信端末（不図示）に電子メールを送信する。通信装置１０は、たとえば、ネットワークファクシミリ装置、ＭＦＰ（Multi Functional Peripheral）などである。なお、図１において、本発明の本質に関わらない部分の構成については省略してあり、たとえば、ファクシミリ装置の構成である原稿読み取り部、画像処理部、および記録部などは図示されていない。
【００２４】
また、通信装置１０の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。以下説明する各図は、ハードウエア単位の構成ではなく、機能単位のブロックを示している。
【００２５】
通信装置１０は、制御部１１と、記憶装置１３と、送受信部１５と、操作部１７と、表示部１９と、を含む。
【００２６】
記憶装置１３は、宛先リスト記憶領域３３と、ソート順記憶領域３５と、を含む。宛先リスト記憶領域３３には、宛先種別を電子メールの受信者のアドレス毎に対応付けた宛先リストが格納される。なお、宛先種別とは、受信者に電子メールの重要度等を通知するための付加情報であり、たとえば、主宛先（Ｔｏ）、同報宛先（Ｃｃ：Carbon Copy）、および非通知同報宛先（Ｂｃｃ：Blind Carbon Copy）である。また、この場合、重要度は、Ｔｏ、Ｃｃ、およびＢｃｃの順が一般的である。
【００２７】
宛先リストは、電子メール送信時に参照され、メールヘッダの作成に使用されてもよいが、これに限定されない。本実施の形態において、宛先リストは送信宛先の確認画面表示用に使用される。ソート順記憶領域３５には、図２に示すように、宛先種別３７と、そのソート順３９が対応付けて記憶される。
【００２８】
図１に戻り、記憶装置１３は、電子メールソフトのプログラム（不図示）を記憶する。なお、記憶装置１３は、通信装置１０を制御するのに必要な各種のプログラムおよびデータを含む読取り専用記憶部（不図示）およびプログラム実行時の一時記憶作業領域として使用される読取り書込み記憶部（不図示）を有するが説明は省略する。
【００２９】
制御部１１は、アドレス受付部２１と、宛先種別受付部２３と、ソート指示受付部２５と、ソート部２７と、表示制御部２９と、送信指示受付部３１と、を含む。制御部１１は、記憶装置１３に記憶された電子メールソフトのプログラムを実行し、アドレス受付部２１、宛先種別受付部２３、ソート指示受付部２５、ソート部２７、表示制御部２９、および送信指示受付部３１ならびに通信装置１０の各種要素とともに装置全体を制御する。
【００３０】
送受信部１５は、ネットワーク１上の他の通信装置と通信を行い、電子メールを送受信する。操作部１７は、通信装置１０のユーザからのアドレスや宛先種別の指定およびソート指示や送信指示などの各種操作指示や設定を受け付ける。操作部１７は、たとえば、操作ボタン、スイッチ、レバー、シートキー、キーボード、タッチパネルなどである。
【００３１】
表示部１９は、各種情報表示、操作画面表示、通信装置１０の動作や状態表示などを行う。表示部１９は、電子メールの受信者のアドレスを送信宛先として入力する宛先入力画面の表示を行う。表示部１９は、たとえば、ランプ、ＬＥＤ、ＣＲＴモニタ、液晶ディスプレイなどである。本実施の形態において、表示部１９は、比較的小さい画面を有するものとする。
【００３２】
アドレス受付部２１は、電子メールの受信者のアドレスの設定を受け付ける。アドレス受付部２１で受け付けるアドレスは、メールアドレスおよびＩＰファクシミリ番号を含むアドレス情報、あるいはこれらのアドレス情報の宛先名称などを含む。宛先種別受付部２３は、宛先種別の設定を受け付ける。アドレス受付部２１で受け付けたアドレスおよび宛先種別受付部２３で受け付けた宛先種別は、互いに対応付けられて宛先リストとして記憶装置１３の宛先リスト記憶領域３３に記憶される。
【００３３】
ソート指示受付部２５は、宛先リストの並べ替えの指示を受け付ける。ソート部２７は、ソート指示受付部２５で受け付けた並べ替え指示に従って、宛先リスト記憶領域３３に記憶された宛先リストを並べ替える。この並べ替えはソート順記憶領域３５に記憶されているソート順３９に従って行われる。たとえば、図２の場合、宛先リストはＴｏ、Ｃｃ、Ｂｃｃの順に宛先種別毎に並び替えられる。さらに、ソート部２７は、同じ宛先種別のアドレスを降順または昇順に並び替える。
【００３４】
表示制御部２９は、宛先リストを含む宛先入力画面や宛先確認画面を表示部１９に表示する。さらに、表示制御部２９は、ソート部２７で並び替えられた宛先リストを表示部１９に表示する。また、表示制御部２９は、各種情報表示画面や操作画面、動作状態表示指示画面を表示部１９に表示する処理を行う。
【００３５】
図３は、通信装置１０の宛先入力画面の例を示す図である。宛先入力画面４０は、表示制御部２９によって表示部１９に表示され、メールアドレス欄４１およびメールアドレス欄４１に対応する宛先種別切替ボタン４３を有する複数の行の送信宛先欄４５と、スクロールバー４７と、ソートボタン４９と、を含む。以下、図１とともに宛先入力画面４０について説明する。
【００３６】
メールアドレス欄４１には、送信宛先としてユーザが操作部１７を介して指定し、アドレス受付部２１で受け付けられた電子メールの受信者のアドレスが表示される。
【００３７】
宛先種別切替ボタン４３は、現在指定されている宛先種別が表示される。ユーザが宛先種別切替ボタン４３を操作する度に、宛先種別がＴｏ／Ｃｃ／Ｂｃｃの順に切り替わって表示される。
【００３８】
送信宛先欄４５には、複数の送信宛先として、それぞれメールアドレス欄４１と宛先種別切替ボタン４３が対になって表示される。必要に応じてユーザがスクロールバー４７を操作すると、送信宛先欄４５内の複数の送信宛先がスクロール表示される。
【００３９】
ユーザがソートボタン４９を操作することで、ソート指示受付部２５は、宛先入力画面４０で指定されたアドレスとその宛先種別を含む宛先リストを宛先種別のソート順で並べ替える指示を受け付ける。すなわち、ソートボタン４９の操作指示をソート指示受付部２５が受け付けると、ソート部２７は、記憶装置１３の宛先リスト記憶領域３３に記憶された宛先リストを宛先種別のソート順に並び替える。そして、表示制御部２９は、並び替えた宛先リストを宛先確認画面として表示部１９に表示する。この処理については後述する。
【００４０】
図３の宛先入力画面４０は、上述したように宛先種別切替ボタン４３、スクロールバー４７、およびソートボタン４９などを含む操作部１７も構成する。なお、宛先入力画面４０のスクロールバー４７やソートボタン４９のユーザによる操作指示の受け付けを行う受付部は図１では省略してある。
【００４１】
このように構成された通信装置１０の動作について以下に説明する。図４は、通信装置１０の動作を示すフローチャートである。以下、図１乃至図４を参照して説明する。ここでは、図３の宛先入力画面４０が表示部１９に表示され、ユーザにより電子メールの受信者のアドレスが設定される場合について説明する。
【００４２】
まず、アドレス受付部２１が、ユーザが操作部１７を介して設定したアドレスを受け付けると（Ｓ１１のＹｅｓ）、表示制御部２９が、受け付けたアドレスを宛先入力画面４０のメールアドレス欄４１に表示する（Ｓ１３）。このとき、アドレス受付部２１は、受け付けたアドレスを、宛先入力画面４０の宛先種別切替ボタン４３に表示されている宛先種別と対応付けて宛先リストとして記憶装置１３の宛先リスト記憶領域３３に記憶する。
【００４３】
なお、ステップＳ１１において、アドレスは、宛先入力画面４０のメールアドレス欄４１に操作部１７を介してユーザが入力したものをアドレス受付部２１が受け付ける。あるいは、アドレス帳（不図示）などからアドレスをユーザが操作部１７を介して指定したものをアドレス受付部２１が受け付けることもできる。
【００４４】
つづいて、宛先種別受付部２３が、宛先入力画面４０の宛先種別切替ボタン４３のユーザによる操作を受け付けると（Ｓ１５のＹｅｓ）、表示制御部２９が、宛先入力画面４０の宛先種別切替ボタン４３をＴｏ／Ｃｃ／Ｂｃｃの順に操作毎に切り替えて表示する（Ｓ１７）。宛先種別切替ボタン４３に表示された宛先種別が選択されたことになり、宛先種別受付部２３は、この選択された宛先種別を受け付ける。このとき、宛先種別受付部２３は、記憶装置１３の宛先リスト記憶領域３３に記憶していたアドレスに対応する宛先種別を宛先種別切替ボタン４３で選択された宛先種別に変更する。
【００４５】
つづいて、ソート指示受付部２５、宛先入力画面４０のソートボタン４９のユーザによる操作を操作部１７を介して受け付けると（Ｓ１９のＹｅｓ）、ソート部２７は、宛先種別がＴｏ／Ｃｃ／Ｂｃｃの順になるように記憶装置１３の宛先リスト記憶領域３３に記憶されている宛先リストを並び替え、表示制御部２９は宛先種別のソート順に並び替えられた宛先リストを表示部１９に表示させる（Ｓ２１）。ここで、宛先リストの同じ宛先種別の複数のアドレスは降順または昇順に並び替えられてもよい。
【００４６】
なお、ステップＳ１１、ステップＳ１５、およびステップＳ１９において、各判定がＮｏの場合、ステップＳ１５、ステップＳ１７、およびステップＳ１１にそれぞれ進む。
【００４７】
ここで、図５に示す宛先入力画面４０のように、４つのアドレスが４つの送信宛先欄４５にそれぞれ表示され、各アドレスに対する宛先種別が宛先種別切替ボタン４３のユーザの操作により、それぞれ設定されたとする。たとえば、１行目のメールアドレス欄４１に表示されたabc@aaa.comというメールアドレスの宛先種別はＣｃであり、２行目のメールアドレス欄４１に表示されたxyz@bbb.co.jpというメールアドレスの宛先種別はＢｃｃである。なお、図５では、スクロールバー４７およびソートボタン４９は省略してある。
【００４８】
図５のように宛先種別が設定された後、ソート指示受付部２５がソートボタン４９の操作を受け付けると（Ｓ１９のＹｅｓ）、ソート部２７により、宛先種別がＴｏ／Ｃｃ／Ｂｃｃとなるように記憶装置１３の宛先リスト記憶領域３３に記憶された宛先リストが並び替えられる。さらに、ソート部２７により宛先種別毎に複数のアドレスは昇順に並び替えられる。
【００４９】
その結果、図６に示すように、表示制御部２９は、宛先種別のソート順に並び替えられた宛先リストを表示部１９の宛先確認画面５０上に表示する（Ｓ２１）。すなわち、１行目のメールアドレス欄４１に、宛先種別がＴｏのメールアドレスlmn@ccc.or.jpが表示され、２行目のメールアドレス欄４１に、宛先種別がＣｃのメールアドレスabc@aaa.comが表示される。３行目および４行目のメールアドレス欄４１には、宛先種別がＢｃｃの２つのメールアドレスqrs@ddd.ne.jpおよびxyz@bbb.co.jpが昇順に表示される。
【００５０】
ユーザが送信ボタン５１を操作することで、送信指示受付部３１は、宛先確認画面５０に示されたアドレスに電子メールを送信する指示を受け付ける。本実施の形態において、送信ボタン５１の操作指示を送信指示受付部３１が受け付けると、送受信部１５を介して電子メールがアドレス宛に送信される。
【００５１】
以上説明したように、本実施の形態によれば、複数の送信宛先の対応する宛先種別を設定でき、設定された宛先種別毎に、そのソート順、たとえばＴｏ／Ｃｃ／Ｂｃｃの順で並び替えられた宛先リストを表示するので、ユーザは、電子メール送信前に宛先の確認が簡単に正確に行え、使い勝手が向上する。
【００５２】
以上に本発明の好適な実施の形態を説明した。しかし、本発明は上述の実施の形態に限定されず、当業者が本発明の範囲内で上述の実施の形態を変形可能なことはもちろんである。
【００５３】
上記実施の形態では、通信装置１０としてネットワークファクシミリ装置、およびＭＦＰについて説明したが、これに限定されるものではない。たとえば、通信装置１０は、本発明の電子メールシステムを備えたパーソナルコンピュータ、ワークステーション、ＰＤＡ（Personal Digital Assistance）、携帯電話端末、および電話装置を含む。
【００５４】
また、宛先種別を指定する操作ボタンとしては、宛先種別切替ボタン４３の他に、Ｔｏ、Ｃｃ、およびＢｃｃの宛先種別を含むリストがプルダウン表示され、いずれか選択された宛先種別が表示されるプルダウンメニューであってもよい。あるいは、宛先種別を指定する操作ボタンは、ラジオスイッチを用いてもよい。宛先種別受付部２３は、プルダウンメニューのリストや、ラジオスイッチの中から選択された一つの宛先種別を受け付ける。また、宛先種別は、Ｔｏ、Ｃｃ、およびＢｃｃなどの他に、順位を示す識別子、数字やアルファベット、その他の符号や記号、名称、階級などでもよい。
【００５５】
また、上記実施の形態では、ソートボタン４９を設けていたが、これに限定されるものではない。たとえば、ユーザが宛先種別切替ボタン４３を操作する度に、宛先種別受付部２３が選択された宛先種別を受け付け、ソート部２７が宛先リストを宛先種別のソート順で並べ替えてもよい。また、宛先入力画面４０では、スクロールバー４７により複数の送信宛先を表示するようにしていたが、１画面に表示可能な件数の送信宛先を表示するようにし、送信宛先の件数が多い場合は、複数のページのページめくりを操作する操作ボタンを設けてもよい。
【００５６】
また、図３において、宛先入力画面４０のメールアドレス欄４１は、１行に複数のアドレスを含んでもよい。その場合は、メールアドレス欄４１と対になっている宛先種別切替ボタン４３によって指定される宛先種別は、対応するメールアドレス欄４１に含まれる全てのアドレスに対する付加情報となる。
【００５７】
この場合、ソート部２７は、メールアドレス欄４１に含まれる複数のアドレスはそのままの状態で、送信宛先欄４５の行単位で送信宛先を並べ替えることができる。あるいは、ソート部２７は、１行のメールアドレス欄４１に含まれた複数のアドレスを宛先種別と対応付けて複数行の送信宛先欄４５にそれぞれ分解して宛先リストに追加し、その後に宛先リストを並べ替えることができる。
【００５８】
また、通信装置１０は、記憶装置１３のソート順記憶領域３５に記憶される宛先種別３７のソート順３９の変更を受け付ける順位変更部（不図示）と、ソート順３９の変更を受け付けたとき、記憶装置１３のソート順記憶領域３５に記憶されたソート順３９を変更する順位変更部（不図示）と、を設けることができる。この構成によれば、たとえば、Ｔｏ／Ｃｃ／Ｂｃｃの並べ替え順をＣｃ／Ｂｃｃ／Ｔｏなどと変更することができる。
【産業上の利用可能性】
【００５９】
本発明にかかる通信装置は、誤操作を低減でき、使い勝手が向上するという効果を有し、一通の電子メールを複数の受信者に送信する際の電子メールシステムにおける表示技術等として有用である。
【図面の簡単な説明】
【００６０】
【図１】本実施の形態の通信装置の機能ブロック図である。
【図２】図１の通信装置の記憶装置のソート順記憶領域の構造を示す図である。
【図３】図１の通信装置の宛先入力画面の例を示す図である。
【図４】図１の通信装置の動作を示すフローチャートである。
【図５】図３の宛先入力画面で、宛先種別を変更したときの例を示す図である。
【図６】図１の通信装置の宛先確認画面の例を示す図である。
【符号の説明】
【００６１】
１  ネットワーク
１０  通信装置
１１  制御部
１３  記憶装置
１５  送受信部
１７  操作部
１９  表示部
２１  アドレス受付部
２３  宛先種別受付部
２５  ソート指示受付部
２７  ソート部
２９  表示制御部
３１  送信指示受付部
３３  宛先リスト記憶領域
３５  ソート順記憶領域
３７  宛先種別
３９  ソート順
４０  宛先入力画面
４１  メールアドレス欄
４４  宛先種別切替ボタン
４５  送信宛先欄
４７  スクロールバー
４９  ソートボタン
５０  宛先確認画面
５１  送信ボタン
【図１】
2005267469.tif 000003
【図２】
2005267469.tif 000004
【図３】
2005267469.tif 000005
【図４】
2005267469.tif 000006
【図５】
2005267469.tif 000007
【図６】
2005267469.tif 000008